(57)【特許請求の範囲】
【請求項１】
任意の地点に設置されたデジタルサイネージ端末の近傍に存在する携帯端末に対して視聴者が行った操作により、前記携帯端末から前記携帯端末の識別情報と、前記携帯端末に対して前記視聴者が行った操作に応じた利用情報とを取得する情報取得部と、
前記デジタルサイネージ端末に表示されるコンテンツに関連付けて記憶されたコンテンツ関連情報が、前記携帯端末から取得した利用情報に一致する場合、前記識別情報により識別される携帯端末に表示させるコンテンツを選択するコンテンツ選択部と、
前記識別情報により識別される携帯端末に対して前記選択されたコンテンツの提供を制御するコンテンツ提供部を、
を有し、
前記コンテンツ提供部は、
前記選択されたコンテンツを前記携帯端末に配信したことに応じてフラグをオンに設定し、
前記提供されたコンテンツに関連付けて記憶されたサービス提供エリアに前記携帯端末が進入したことが検知されると前記フラグをオフに設定し、
前記フラグがオフに設定されている間、前記選択されたコンテンツの前記携帯端末への配信を停止状態にする、
広告提供管理装置。
【請求項２】
前記デジタルサイネージ端末の近傍に存在する携帯端末を識別する携帯端末識別部を更に備え、
前記携帯端末識別部は、前記デジタルサイネージ端末に予め関連付けて記憶されている位置情報と前記携帯端末の位置情報とに基づき、前記携帯端末が前記デジタルサイネージ端末の所定の条件の範囲内に存在するか否かを判定し、
前記情報取得部は、前記デジタルサイネージ端末の所定の条件の範囲内に存在すると判定された前記携帯端末の前記識別情報と前記携帯端末の利用情報とを取得する、
請求項１に記載の広告提供管理装置。
【請求項３】
前記デジタルサイネージ端末の近傍に存在する携帯端末を識別する携帯端末識別部を更に備え、
前記携帯端末識別部は、前記デジタルサイネージ端末に予め関連付けて記憶されている無線基地局と前記携帯端末とが通信可能な状態か否かを判定し、
前記情報取得部は、前記無線基地局と通信可能な状態と判定された前記携帯端末の前記識別情報と前記携帯端末の利用情報とを取得する、
請求項１又は２に記載の広告提供管理装置。
【請求項４】
任意の地点に設置されたデジタルサイネージ端末の近傍に存在する携帯端末に対して視聴者が行った操作により、前記携帯端末から前記携帯端末の識別情報と、前記携帯端末に対して前記視聴者が行った操作に応じた利用情報とを取得し、
前記デジタルサイネージ端末に表示されるコンテンツに関連付けて記憶されたコンテンツ関連情報が、前記携帯端末から取得した利用情報に一致する場合、前記識別情報により識別される携帯端末に表示させるコンテンツを選択し、
前記識別情報により識別される携帯端末に対して前記選択されたコンテンツの提供を制御し、
前記選択されたコンテンツを前記携帯端末に配信したことに応じてフラグをオンに設定し、
前記提供されたコンテンツに関連付けて記憶されたサービス提供エリアに前記携帯端末が進入したことが検知されると前記フラグをオフに設定し、
前記フラグがオフに設定されている間、前記選択されたコンテンツの前記携帯端末への配信を停止状態にする、
処理をコンピュータが実行する広告提供管理方法。
【請求項５】
任意の地点に設置されたデジタルサイネージ端末の近傍に存在する携帯端末に対して視聴者が行った操作により、前記携帯端末から前記携帯端末の識別情報と、前記携帯端末に対して前記視聴者が行った操作に応じた利用情報とを取得し、
前記デジタルサイネージ端末に表示されるコンテンツに関連付けて記憶されたコンテンツ関連情報が、前記携帯端末から取得した利用情報に一致する場合、前記識別情報により識別される携帯端末に表示させるコンテンツを選択し、
前記識別情報により識別される携帯端末に対して前記選択されたコンテンツの提供を制御し、
前記選択されたコンテンツを前記携帯端末に配信したことに応じてフラグをオンに設定し、
前記提供されたコンテンツに関連付けて記憶されたサービス提供エリアに前記携帯端末が進入したことが検知されると前記フラグをオフに設定し、
前記フラグがオフに設定されている間、前記選択されたコンテンツの前記携帯端末への配信を停止状態にする、
処理をコンピュータに実行させるプログラム。
【発明の詳細な説明】
【技術分野】
【０００１】
広告提供管理装置、広告提供管理方法及びプログラムに関する。
【背景技術】
【０００２】
近年、デジタルサイネージ（Digital Signage）が広く普及している。デジタルサイネージは、多数の人目に付き易い場所（街角、店舗、駅等）に設置した大画面のビデオディスプレイ（デジタルサイネージ端末）に映像や各種情報にかかるコンテンツを表示する電子看板システムである。デジタルサイネージは、広告コンテンツを配信することによって広告媒体としても活用されている。
【０００３】
テレビコマーシャルのように不特定多数の視聴者（ユーザ）に広告コンテンツを提供する場合に対して、デジタルサイネージでは、設置場所及び時間帯等を考慮したターゲットの設定を行い、そのターゲットに焦点をあてた広告コンテンツをデジタルサイネージ端末に表示させることができる。
【０００４】
例えば、特許文献１には、デジタルサイネージ端末付近で携帯端末を所持する視聴者の性別や年齢層等のデモグラフィック情報に基づいてデジタルサイネージ端末に表示させるコンテンツを選択する技術が提案されている。これによれば、視聴者の性別や年齢層等に即したキャンペーン等のコンテンツをデジタルサイネージ端末に表示することで、視聴者が関心を持つタイムリーな情報を視聴者に提供することができる。
【先行技術文献】
【特許文献】
【０００５】
【特許文献１】特開２０１２−９８５９８号公報
【発明の概要】
【発明が解決しようとする課題】
【０００６】
デジタルサイネージ端末に表示されているコンテンツに興味がある場合、視聴者は、携帯端末を操作し、そのコンテンツに関する情報が得られるウェブページ等を検索することがある。また、視聴者は、帰宅後、より検索し易いＰＣ等を操作して、そのコンテンツに関する更に詳しい情報を得ようとすることがある。
【０００７】
しかしながら、視聴者によっては、デジタルサイネージ端末に表示されているコンテンツに関心があっても、そのコンテンツに関する情報が得られる最終的な目的のページに到達する前に検索を終了してしまったり、後で検索するつもりでそのまま忘れてしまったりする場合がある。
【０００８】
よって、デジタルサイネージ端末に表示されたコンテンツに興味があると予想される視聴者の携帯端末にそのコンテンツに関する情報を提供することは、効果的な広告手段となる。
【０００９】
そこで、デジタルサイネージ端末に表示されたコンテンツに関する情報を特定の携帯端末に提供することを目的とする。
【課題を解決するための手段】
【００１０】
一つの態様では、
任意の地点に設置されたデジタルサイネージ端末の近傍に存在する携帯端末から前記携帯端末の識別情報と前記携帯端末の利用情報とを取得する情報取得部と、
前記デジタルサイネージ端末に表示されるコンテンツに関連付けて記憶されたコンテンツ関連情報と、前記携帯端末から取得した利用情報とに基づいて、前記識別情報により識別される携帯端末に表示させるコンテンツを選択するコンテンツ選択部と、
を有する広告提供管理装置が提供される。
【００１１】
他の態様では、
任意の地点に設置されたデジタルサイネージ端末の近傍に存在する携帯端末から前記携帯端末の識別情報と前記携帯端末の利用情報とを取得し、
前記デジタルサイネージ端末に表示されるコンテンツに関連付けて記憶されたコンテンツ関連情報と、前記携帯端末から取得した利用情報とに基づいて、前記識別情報により識別される携帯端末に表示させるコンテンツを選択する、
処理をコンピュータが実行する広告提供管理方法が提供される。
【００１２】
他の態様では、
任意の地点に設置されたデジタルサイネージ端末の近傍に存在する携帯端末から前記携帯端末の識別情報と前記携帯端末の利用情報とを取得し、
前記デジタルサイネージ端末に表示されるコンテンツに関連付けて記憶されたコンテンツ関連情報と、前記携帯端末から取得した利用情報とに基づいて、前記識別情報により識別される携帯端末に表示させるコンテンツを選択する、
処理をコンピュータに実行させるプログラムが提供される。
【発明の効果】
【００１３】
一態様によれば、デジタルサイネージ端末に表示されたコンテンツに関する情報を特定の携帯端末に提供することができる。
【図面の簡単な説明】
【００１４】
【図１】一実施形態にかかる広告システムの全体構成例を示した図。
【図２】一実施形態にかかる広告システムの他の全体構成例を示した図。
【図３】一実施形態にかかる広告提供管理サーバの構成例を示した図。
【図４】一実施形態にかかるサイネージ情報データベースのデータ構造例を示す図。
【図５】一実施形態にかかるコンテンツ関連情報データベースのデータ構造例を示す図。
【図６】一実施形態にかかるコンテンツ管理テーブルのデータ構造例を示す図。
【図７】一実施形態にかかる広告システムによる広告提供例を示すシーケンス図。
【図８】一実施形態にかかる広告提供の効果を説明するための図。
【図９】一実施形態にかかる広告提供管理サーバの動作(広告提供)を示すフローチャート。
【図１０】一実施形態にかかるコンテンツ関連情報データベースの他のデータ構造例を示す図。
【図１１】一実施形態の変形例にかかる広告提供管理サーバの構成例を示した図。
【図１２】変形例にかかるコンテンツ関連情報データベースのデータ構造例を示す図。
【図１３】変形例にかかるフラグ管理テーブルのデータ構造例を示す図。
【図１４】変形例にかかる広告提供管理サーバの動作(フラグ設定)を示すフローチャート。
【図１５】変形例にかかる広告提供管理サーバの動作(広告提供)を示すフローチャート。
【図１６】一実施形態及び変形例にかかる広告提供管理サーバのハードウェア構成例を示す図。
【発明を実施するための形態】
【００１５】
以下、本発明の実施形態について添付の図面を参照しながら説明する。なお、本明細書及び図面において、実質的に同一の機能構成を有する構成要素については、同一の符号を付することにより重複した説明を省く。
【００１６】
［システムの全体構成］
まず、本発明の一実施形態に係る広告システムの全体構成について、図１を参照しながら説明する。図１は、一実施形態にかかる広告システムの全体構成図である。
【００１７】
広告システム１は、広告提供管理サーバ３、コンテンツ配信サーバ４及びデジタルサイネージ端末５を有する。
【００１８】
広告提供管理サーバ３、コンテンツ配信サーバ４及びデジタルサイネージ端末５は、インターネット等の有線／無線を含むネットワーク８により互いに接続されている。携帯端末７Ａ、７Ｂ、７Ｃ、・・・は、デジタルサイネージ端末５の所定の条件の範囲内Ｃｆに存在する端末である。所定の条件の範囲内Ｃｆとは、例えば、携帯端末７Ａ、７Ｂ、７Ｃを所持する視聴者が、デジタルサイネージ端末５に表示された広告を視聴できる範囲であってもよいし、デジタルサイネージ端末５から半径ｘ（ｘは任意）ｍの範囲内としてもよい。
【００１９】
携帯端末７Ａ、７Ｂ、７Ｃ、・・・が、デジタルサイネージ端末５の所定の条件の範囲内Ｃｆに存在するか否かは、デジタルサイネージ端末５に予め関連付けて記憶されている位置情報と携帯端末７Ａ、７Ｂ、７Ｃ、・・・の位置情報とに基づき判定される。携帯端末７Ａ、７Ｂ、７Ｃ、・・の位置情報は、ＧＰＳ（Ｇｌｏｂａｌ  Ｐｏｓｉｔｉｏｎｉｎｇ  Ｓｙｓｔｅｍ）を用いて人工衛星９から受信した位置情報を用いることができる。
【００２０】
なお、一般的にデジタルサイネージ端末５は複数となる。広告提供管理サーバ３とコンテンツ配信サーバ４とは、一つの装置で実現してもよいし、複数の装置による分散形態としてもよい。
【００２１】
広告提供管理サーバ３は、デジタルサイネージ端末５へのコンテンツの配信を管理する。また、広告提供管理サーバ３は、携帯端末７Ａ、７Ｂ、７Ｃへのコンテンツの配信を管理する。広告提供管理サーバ３は、携帯端末７Ａ、７Ｂ、７Ｃに表示させるコンテンツを選択する広告提供管理装置に相当する。配信するコンテンツには、広告コンテンツの他に、ニュース、天気予報、占い等の一般コンテンツやデジタルサイネージ端末５の設置される施設（商業施設、公共施設等）に特化された施設専用コンテンツが含まれる。
【００２２】
コンテンツ配信サーバ４は、広告提供管理サーバ３からの指示に従って、該当するデジタルサイネージ端末５及び携帯端末７Ａ、７Ｂ、７Ｃ、・・・にコンテンツを配信する装置である。コンテンツデータは、図示しない広告主端末からコンテンツ配信サーバ４に送信され、コンテンツ配信サーバ４に登録される。コンテンツ配信サーバ４に登録されたコンテンツデータの管理情報は、広告提供管理サーバ３にて管理される。
【００２３】
デジタルサイネージ端末５は、大画面のビデオディスプレイを備え、コンテンツを表示して周辺の視聴者に対してコンテンツに関する情報を提供する装置である。
【００２４】
［他の全体構成］
本発明の一実施形態に係る広告システムの他の全体構成について、図２を参照しながら説明する。図２は、一実施形態にかかる広告システムの全体構成図である。
【００２５】
本実施形態に係る広告システム１の他の全体構成としては、広告システム１は、広告提供管理サーバ３、コンテンツ配信サーバ４、デジタルサイネージ端末５及び無線基地局６を有する。
【００２６】
広告提供管理サーバ３、コンテンツ配信サーバ４、デジタルサイネージ端末５及び無線基地局６は、インターネット等の有線・無線を含むネットワーク８により互いに接続されている。デジタルサイネージ端末５は、無線基地局６の通信可能エリアＣｅ内に設置されている。無線基地局６は、通信可能エリアＣｅ内に存在する携帯端末７Ａ、７Ｂ、７Ｃ、・・と接続可能となっている。
【００２７】
なお、一般的にデジタルサイネージ端末５及び無線基地局６は複数となる。広告提供管理サーバ３とコンテンツ配信サーバ４とは、一つの装置で実現してもよいし、複数の装置による分散形態としてもよい。
【００２８】
広告提供管理サーバ３、コンテンツ配信サーバ４、デジタルサイネージ端末５及び無線基地局６について前述したので、ここでは説明を省略する。
【００２９】
無線基地局６は、Ｗｉ−Ｆｉ通信等に代表される無線ＬＡＮ（Local Area Network）に係るアクセスポイントであってもよい。無線基地局６は、デジタルサイネージ端末５の近傍に設置され、無線基地局６の近傍に存在する携帯端末７Ａ、７Ｂ、７Ｃ、・・を検出すると、その識別情報と自己の無線基地局ＩＤと携帯端末の利用情報とを広告提供管理サーバ３に送信する。携帯端末７Ａ、７Ｂ、７Ｃ、・・は、視聴者が所持する携帯電話やスマートフォン等の装置である。携帯端末の利用情報について後述する。
【００３０】
［広告提供管理サーバの機能構成］
次に、本実施形態にかかる広告提供管理サーバ３の機能構成について、図３を参照しながら説明する。図３は、一実施形態にかかる広告提供管理サーバ３の構成例を示した図である。
【００３１】
広告提供管理サーバ３は、制御部３１、ネットワークインタフェース部３２、記憶部３３及び携帯端末識別部３１４を有する。
【００３２】
制御部３１は、コンピュータプログラムに従って広告提供管理サーバ３における制御処理を行う。ネットワークインタフェース部３２は、外部のネットワーク８を介して他の装置とデータ通信を行う。記憶部３３は、各種の情報（データ）を保持する。
【００３３】
制御部３１は、情報取得部３１１とコンテンツ選択部３１２とコンテンツ提供部３１３とを有する。
【００３４】
情報取得部３１１は、無線基地局６からネットワーク８を介して、無線基地局６の通信可能エリアＣｅ内に存在する携帯端末７Ａ、７Ｂ、７Ｃ、・・の識別情報と無線基地局６の無線基地局ＩＤを取得する。また、情報取得部３１１は、携帯端末７Ａ、７Ｂ、７Ｃ、・・の利用情報を取得する。情報取得部３１１は、デジタルサイネージ端末５の設置場所に関する情報を取得してもよい。
【００３５】
ここで、携帯端末の利用情報は、いずれかのデジタルサイネージ端末５の近傍に存在する携帯端末を操作して視聴者が行った入力や選択等の動作に対応した情報を示す。携帯端末７Ａ、７Ｂ、７Ｃ、・・の利用情報としては、携帯端末７Ａ、７Ｂ、７Ｃ、・・にて任意のアプリケーションを起動する際に携帯端末７Ａ、７Ｂ、７Ｃ、・・に入力したり、携帯端末７Ａ、７Ｂ、７Ｃ、・・の画面に表示された情報からいずれかの情報を選択したりする動作に対応した情報が一例として挙げられる。入力や選択等の動作に対応した情報としては、例えば、検索キーワード、ＵＲＬ、その他のアプリケーションを起動するためのワードやタームの入力や選択が挙げられる。
【００３６】
コンテンツ選択部３１２は、デジタルサイネージ端末５に表示されたコンテンツに関連する情報を示すコンテンツ関連情報と、携帯端末７Ａ、７Ｂ、７Ｃ、・・から取得した利用情報とに基づいて、携帯端末７Ａ、７Ｂ、７Ｃ、・・に配信させるコンテンツを選択する。
【００３７】
コンテンツ提供部３１３は、コンテンツ選択部３１２により選択されたコンテンツの配信をコンテンツ配信サーバ４に指示する。コンテンツ提供部３１３は、識別情報により識別される携帯端末７Ａ、７Ｂ、７Ｃ、・・に選択されたコンテンツを提供するようにコンテンツ配信サーバ４に指示する。
【００３８】
携帯端末識別部３１４は、デジタルサイネージ端末５の近傍に存在する携帯端末を識別する。
【００３９】
図１に示した全体構成の場合、携帯端末識別部３１４は、デジタルサイネージ端末５に予め関連付けて記憶されている位置情報（例えば、図４の位置情報３３１ｂ）とＧＰＳにより取得した携帯端末７Ａ、７Ｂ、７Ｃ・・・の位置情報とに基づき、携帯端末７Ａ、７Ｂ、７Ｃ・・・がデジタルサイネージ端末５の所定の条件の範囲内に存在するか否かを判定する。情報取得部３１１は、デジタルサイネージ端末の所定の条件の範囲内に存在すると判定された携帯端末７Ａ、７Ｂ、７Ｃ・・・の識別情報を携帯端末の利用情報とともに取得する。
【００４０】
図２に示した他の全体構成の場合、携帯端末識別部３１４は、デジタルサイネージ端末５に予め関連付けて記憶されている無線基地局６（例えば、図４の無線基地局ＩＤ３３１ｄ）が携帯端末７Ａ、７Ｂ、７Ｃ・・・とが通信可能な状態か否かを判定する。情報取得部３１１は、無線基地局６と通信可能な状態と判定された携帯端末７Ａ、７Ｂ、７Ｃ・・・の識別情報を携帯端末の利用情報とともに取得する。
【００４１】
ここで、携帯端末識別部３１４は、携帯端末７Ａ、７Ｂ、７Ｃ・・・が無線基地局６から受信する無線信号の電波強度が所定閾値以上の状態である場合に通信可能な状態と判定することができ、また、所定閾値以上の状態が所定時間継続していることに基づいて通信可能な状態と判定しても良い。
【００４２】
記憶部３３は、サイネージ情報データベース３３１とコンテンツ関連情報データベース３３２とコンテンツ管理テーブル３３３とを有している。サイネージ情報データベース３３１は、デジタルサイネージ端末５についての管理情報を記憶するデータベースである。コンテンツ関連情報データベース３３２は、コンテンツに関連付けてコンテンツ関連情報を記憶するデータベースである。コンテンツ管理テーブル３３３は、デジタルサイネージ端末５に表示するコンテンツのスケジュール情報を記憶するデータベースである。
【００４３】
図４は、一実施形態にかかるサイネージ情報データベース３３１のデータ構造例を示す図である。図４において、サイネージ情報データベース３３１は、サイネージ端末ＩＤ３３１ａ、位置情報３３１ｂ、エリア情報３３１ｃ及び無線基地局ＩＤ（アクセスポイント）３３１ｄの項目（フィールド）を有している。
【００４４】
サイネージ端末ＩＤ３３１ａは、デジタルサイネージ端末５を識別する情報である。位置情報３３１ｂは、デジタルサイネージ端末５の設置される緯度及び経度の情報である。エリア情報３３１ｃは、位置情報３３１ｂに対応する地域名である。無線基地局ＩＤ（アクセスポイント）３３１ｄは、デジタルサイネージ端末５の近傍に設置される無線基地局６を識別する情報である。
【００４５】
図５は、一実施形態にかかるコンテンツ関連情報データベース３３２のデータ構造例を示す図である。図５において、コンテンツ関連情報データベース３３２は、表示コンテンツＩＤ３３２ａ及びコンテンツ関連情報３３２ｂの項目（フィールド）を有している。
【００４６】
表示コンテンツＩＤ３３２ａは、デジタルサイネージ端末５に表示するコンテンツの識別情報である。表示コンテンツＩＤ３３２ａにより識別されるコンテンツは、図示しない広告主端末から提供される。コンテンツ関連情報３３２ｂは、表示コンテンツＩＤ３３２ａにより識別されるコンテンツを提供した広告主端末からコンテンツとともに提供されるコンテンツの関連情報である。
【００４７】
コンテンツ関連情報３３２ｂの一例としては、広告コンテンツがデジタルサイネージ端末５に表示されたとき、その広告に関心のある視聴者が携帯端末を操作する際に入力したり選択したりすると予想されるキーワードやＵＲＬ等が挙げられる。コンテンツ関連情報３３２ｂは、一つであっても複数であってもよい。
【００４８】
例えば、広告主端末は、ゴールデンウィーク中の旅行の広告に関する旅行コンテンツを提供するとき、旅行コンテンツとともに「旅行」、「海外」、「ハワイ」、「ＧＷ」等の関連するキーワードを送信する。記憶部３３は、旅行コンテンツの表示コンテンツＩＤ３３２ａと関連付けて、これらの関連キーワードをコンテンツ関連情報３３２ｂに記憶する。
【００４９】
図６は、一実施形態にかかるコンテンツ管理テーブル３３３のデータ構造例を示す図である。図６において、コンテンツ管理テーブル３３３は、サイネージ端末ＩＤ３３３ａにて識別されるデジタルサイネージ端末毎に表示されるコンテンツとその表示時間を示したスケジュール情報３３３ｂを記憶するテーブルである。
【００５０】
［広告システムによる広告提供例］
次に、一実施形態にかかる広告システム１による広告提供例について、図７を参照しながら説明する。図７は、一実施形態にかかる広告システムによる広告提供例を示したシーケンス図である。以下では、広告提供管理サーバ３は、図２に示したように、無線基地局６と通信可能な状態と判定された携帯端末７Ａ、７Ｂ、７Ｃ・・・の識別情報を携帯端末の利用情報とともに取得する場合について説明する。ただし、広告提供管理サーバ３は、図１に示したように、デジタルサイネージ端末５に予め関連付けて記憶されている位置情報と携帯端末７Ａ、７Ｂ、７Ｃ・・・の位置情報とに基づき、デジタルサイネージ端末５の所定の条件の範囲内に存在すると判定された携帯端末７Ａ、７Ｂ、７Ｃ・・・の識別情報を携帯端末の利用情報とともに取得してもよい。この場合、広告提供管理サーバ３と携帯端末７Ａ、７Ｂ、７Ｃ・・・との間に図７の無線基地局６は介在せず、携帯端末７Ａ、７Ｂ、７Ｃ・・・の識別情報と利用情報とは、直接、広告提供管理サーバ３によって受信される。
【００５１】
図７において、例えば、携帯端末７Ａが無線基地局６の近傍の通信可能エリアＣｅに進入すると、Ｗｉ−Ｆｉ接続もしくは携帯無線接続等の過程で、携帯端末７Ａは無線基地局６に携帯端末７Ａの識別情報と携帯端末７Ａの利用情報とを送信する（ステップＳ１０１）。
【００５２】
なお、無線基地局６は、ＮＦＣ(Near Field Communication)、Ｂｌｕｅｔｏｏｔｈ(登録商標)等の近距離無線通信や携帯端末７Ａ、７Ｂ、７Ｃ、・・に搭載されたアプリケーションのチェックイン機能等を利用して通信可能エリアＣｅに進入した携帯端末７Ａ、７Ｂ、７Ｃ、・・の識別情報を取得することができる。携帯端末の識別情報としては、ユーザＩＤやＭＡＣアドレス、Ｃｏｏｋｉｅ情報等を利用することができる。また、無線基地局６は、ＧＰＳ(Global Positioning System)等により携帯端末７Ａ、７Ｂ、７Ｃ、・・の位置情報を取得することができる。
【００５３】
無線基地局６は、ステップＳ１０１にて携帯端末７Ａから識別情報と利用情報とを受信すると、その識別情報と利用情報と自己の無得基地局ＩＤとを広告提供管理サーバ３に送信する（ステップＳ１０２）。
【００５４】
同様に、携帯端末７Ｂが無線基地局６の近傍の通信可能エリアＣｅに進入すると、Ｗｉ−Ｆｉ接続もしくは携帯無線接続等の過程で、携帯端末７Ｂは無線基地局６に携帯端末７Ｂの識別情報と携帯端末７Ｂの利用情報とを送信する（ステップＳ１０５）。
【００５５】
無線基地局６は、携帯端末７Ｂから識別情報と利用情報とを受信すると、その識別情報と利用情報と自己の無得基地局ＩＤとを広告提供管理サーバ３に送信する（ステップＳ１０６）。
【００５６】
例えば、図８の（ａ）及び（ｂ）は、デジタルサイネージ端末５にゴールデンウィークの旅行に関するコンテンツが表示されている場合を示す。図８の（ａ）に示したように、視聴者がデジタルサイネージ端末５の近傍に位置する携帯端末７Ａを操作して「カフェ」を入力したとき、無線基地局６は、携帯端末７Ａの利用情報「カフェ」、携帯端末７Ａの識別情報及び無線基地局６のＩＤを広告提供管理サーバ３に送信する。
【００５７】
同様に、図８の（ｂ）に示したように、視聴者がデジタルサイネージ端末５の近傍に位置する携帯端末７Ｂを操作して「ＧＷ」を入力したとき、無線基地局６は、携帯端末７Ｂの利用情報「ＧＷ」、携帯端末７Ａの識別情報及び無線基地局６のＩＤを広告提供管理サーバ３に送信する。
【００５８】
広告提供管理サーバ３の動作であるステップＳ１０３、Ｓ１０４、Ｓ１０７〜Ｓ１１０については、図９に示した一実施形態にかかる広告提供管理サーバ３の動作(広告提供)を示すフローチャートも参照しながら説明する。
【００５９】
図７のステップＳ１０２が実行された結果、図９のステップＳ１０にて、情報取得部３１１は、識別情報、利用情報及び無線基地局ＩＤを取得する。次に、ステップＳ１２にて、コンテンツ選択部３１２は、サイネージ情報データベース３３１を検索し、取得した無線基地局ＩＤに一致する無線基地局ＩＤ（アクセスポイント）３３１ｄを選択する。そして、コンテンツ選択部３１２は、選択した無線基地局ＩＤ３３１ｄに関連付けて記憶されたサイネージ端末ＩＤ３３１ａを選択する。これにより、サイネージ端末ＩＤ３３１ａにより識別されるデジタルサイネージ端末が特定される。
【００６０】
例えば、図７のステップＳ１０３及びステップＳ１０７にて特定されたデジタルサイネージ端末５は、無線基地局６の通信可能エリアＣｅ内に設置されており、携帯端末７Ａ、７Ｂの近傍に位置する端末となる。
【００６１】
なお、ＧＰＳ等により取得可能な携帯端末７Ａや携帯端末７Ｂの位置情報と、特定されたデジタルサイネージ端末の位置情報３３１ｂ（図４）とのマッチング処理を行って、デジタルサイネージ端末５を特定することもできる。
【００６２】
次に、図９のステップＳ１４にて、コンテンツ選択部３１２は、取得した利用情報と、特定されたデジタルサイネージ端末に表示されたコンテンツに関連付けて記憶されたコンテンツ関連情報３３２ｂとが一致するかを判定する。図５のコンテンツ関連情報データベース３３２には、表示コンテンツＩＤ３３２ａに関連付けてコンテンツ関連情報３３２ｂが記憶されている。よって、コンテンツ選択部３１２は、コンテンツ関連情報データベース３３２を検索し、デジタルサイネージ端末に表示されたコンテンツの表示コンテンツＩＤ３３２ａに関連付けて記憶されたコンテンツ関連情報３３２ｂと利用情報とが一致するかを判定する。
【００６３】
図９のステップＳ１４にて、取得した利用情報とコンテンツ関連情報３３２ｂとが一致しないと判定された場合（図７のステップＳ１０４の場合）、広告提供管理サーバ３は本処理を終了する。例えば、図８の（ａ）では、携帯端末７Ａの利用情報「カフェ」は、デジタルサイネージ端末５に表示されている旅行コンテンツに対応する図５の表示コンテンツＩＤ３３２ａのコンテンツ関連情報３３２ｂ「旅行」、「ＧＷ」、「ハワイ」のいずれにも一致しない。よって、広告提供管理サーバ３はそのまま本処理を終了する。この結果、携帯端末７Ａは、再捕獲の対象（リターゲティング(登録商標)対象）とならず、携帯端末７Ａに旅行コンテンツのデータは配信されない。よって、図８の（ａ）に示した携帯端末７Ａの画面に「旅行コンテンツ」の情報は表示されない。
【００６４】
一方、図９のステップＳ１４にて、取得した利用情報とコンテンツ関連情報３３２ｂとが一致すると判定された場合（図７のステップＳ１０８の場合）、ステップＳ１６に進み、コンテンツ選択部３１２は、表示コンテンツＩＤ３３２ａにより識別されるコンテンツを配信用のコンテンツとして選択する。
【００６５】
例えば、図７のステップＳ１０８にて取得した利用情報とコンテンツ関連情報３３２ｂとが一致した場合、ステップＳ１０９にて表示コンテンツＩＤ３３２ａにより識別されるコンテンツが、携帯端末７Ｂへ配信されるコンテンツとなる。
【００６６】
具体例を挙げて説明すると、図８の（ｂ）に示したように、携帯端末７Ｂの利用情報「ＧＷ」は、デジタルサイネージ端末５に表示されている旅行コンテンツのコンテンツ関連情報３３２ｂ「旅行」、「ＧＷ」、「ハワイ」のうちの一つに一致する。この場合、携帯端末７Ｂの視聴者は、デジタルサイネージ端末５に表示されている旅行コンテンツを視聴し、興味をもったために携帯端末７Ｂを操作して「ＧＷ」のワードを入力し、旅行コンテンツに関する更なる情報を得ようとしたと推定される。よって、本実施形態では、携帯端末７Ｂは、旅行コンテンツに関する広告コンテンツを配信する再捕獲対象と判定される。このとき、表示コンテンツＩＤ３３２ａ「旅行コンテンツのＩＤ」により識別されるコンテンツが、携帯端末７Ｂへ配信されるコンテンツとして選択される。
【００６７】
次に、図９のステップＳ１８にて、コンテンツ提供部３１３は、選択された配信用のコンテンツのＩＤと、無線基地局６から取得した携帯端末の識別情報とをコンテンツ配信サーバ４に送信し、本処理を終了する。
【００６８】
例えば、図７のステップＳ１１０にて、広告提供管理サーバ３は、選択された表示コンテンツＩＤと携帯端末の識別情報とをコンテンツ配信サーバ４に送信すると、コンテンツ配信サーバ４は、ステップＳ１１１にて、取得したコンテンツＩＤから識別されるコンテンツを検索する。例えば、コンテンツ配信サーバ４は、ブラウザ上の携帯端末のユーザＩＤに紐付けられたコンテンツの中から取得したコンテンツＩＤにより特定されるコンテンツを検索し、携帯端末に配信するコンテンツとしてもよい。コンテンツ配信サーバ４に蓄積されているコンテンツから、取得したコンテンツＩＤにより特定されるコンテンツを検索し、携帯端末に配信するコンテンツとしてもよい。
【００６９】
次に、コンテンツ配信サーバ４は、ステップＳ１１２にて、検索したコンテンツを取得した識別情報により識別される携帯端末に配信する。ここでは、検索したコンテンツは、携帯端末７Ｂに配信される。
【００７０】
携帯端末７Ｂは、ステップＳ１１３にて、配信されたコンテンツを画面に表示する。図８の（ｂ）の場合、再捕獲対象と判定された携帯端末７Ｂに「旅行コンテンツ」が自動配信される。その結果、携帯端末７Ｂの画面には、「旅行コンテンツ」に関する情報が表示される。
【００７１】
本実施形態によれば、広告提供管理サーバ３は、表示コンテンツＩＤ３３２ａに関連付けて記憶されているコンテンツ関連情報３３２ｂと携帯端末の利用情報とのマッチングを行う。マッチングの結果、コンテンツ関連情報３３２ｂと携帯端末の利用情報とが一致した場合、その携帯端末を所持する視聴者は、特定のデジタルサイネージ端末の近傍に存在し、かつ、そのデジタルサイネージ端末に表示されたコンテンツ（表示コンテンツＩＤ３３２ａにより識別可能）に関心を持っている購入見込みの高い顧客と予想される。
【００７２】
そこで、広告提供管理サーバ３は、そのような携帯端末を再捕獲の対象とし、そのような携帯端末に対してデジタルサイネージ端末に表示されたコンテンツに関する情報を配信するように制御する。これにより、デジタルサイネージ端末に表示された広告コンテンツに興味があると予想される視聴者に対しては、その広告コンテンツに関する情報を自動配信することができる。これにより、視聴者は、興味がある広告コンテンツに関する情報をタイムリーに取得することができる。その結果、視聴者は、その広告コンテンツに関する詳細情報が得られる最終的な目的のページに到達するまでの煩雑な端末操作や、興味がある広告について後で検索するつもりでそのまま忘れてしまい詳細情報を得る機会を失ってしまうことを回避できる。
【００７３】
なお、上記の再捕獲対象と判定された視聴者の携帯端末に対して配信するコンテンツは、デジタルサイネージ端末に表示されたコンテンツそのものであってもよいし、デジタルサイネージ端末に表示されたコンテンツに関連する他のコンテンツであってもよい。
【００７４】
例えば、携帯端末の利用情報が、図５に示したコンテンツ関連情報３３２ｂ「ハワイ」と一致するとき、デジタルサイネージ端末５に表示された表示コンテンツＩＤ３３２ａ「旅行表示コンテンツＩＤ」により識別される旅行コンテンツそのものを再捕獲対象と判定された携帯端末に配信してもよい。
【００７５】
また、例えば、図６のコンテンツ管理テーブル３３３に示したように、サイネージ端末ＩＤ３３３ａにより識別されるデジタルサイネージ端末毎のスケジュール情報３３３ｂに基づき、再捕獲対象と判定された携帯端末に配信するコンテンツを定めてもよい。この場合、無線基地局６から利用情報等が送信される送信日時に基づき、特定のデジタルサイネージ端末に表示されたコンテンツを特定する。例えば、無線基地局６から利用情報等が送信された送信日時が８月１５日１：００ＰＭであるとき、サイネージ端末ＩＤ３３３ａ「ＸＤ０００１」により識別されるデジタルサイネージ端末に表示されたコンテンツは「Ａ」であることが特定可能である。よって、この場合、再捕獲対象と判定された携帯端末に対して配信するコンテンツは、「Ａ」となる。
【００７６】
一方、無線基地局６から利用情報等が送信される送信日時が８月５日６：００ＰＭであるとき、サイネージ端末ＩＤ３３３ａ「ＸＤ０００１」で識別されるデジタルサイネージ端末に表示されたコンテンツは「Ｂ」であることが特定可能である。よって、この場合、再捕獲対象と判定された携帯端末に対して配信するコンテンツは、「Ｂ」となる。
【００７７】
また、例えば、図１０のコンテンツ関連情報データベース３３２を用いて、デモグラフィック情報を考慮したコンテンツを、再捕獲対象と判定された携帯端末に配信してもよい。図１０のコンテンツ関連情報データベース３３２には、表示コンテンツＩＤ３３２ａ及びコンテンツ関連情報３３２ｂに加えて、デモグラフィック情報３３２ｃ及び配信コンテンツＩＤ３３２ｄが記憶されている。
【００７８】
デモグラフィック情報３３２ｃは、携帯端末を所持する視聴者の属性情報である。図１０のコンテンツ関連情報データベース３３２では、デモグラフィック情報３３２ｃとして性別のみが示されているが、視聴者の属性情報としては、例えば、性別の他、年齢層、居住地域、所得、職業、学歴、家族構成等が含まれる。
【００７９】
例えば、携帯端末の利用情報が図１０のコンテンツ関連情報３３２ｂ「ハワイ」と一致するとき、デジタルサイネージ端末５に表示された表示コンテンツＩＤ３３２ａ「旅行コンテンツのＩＤ」により識別される旅行コンテンツのうち、配信コンテンツＩＤ３３２ｄに示されたハワイ限定の旅行コンテンツが、再捕獲対象と判定された携帯端末７Ｂに配信される。その際、デモグラフィック情報３３２ｃが女性の場合には、ハワイ限定女性向けコンテンツが配信され、男性の場合には、ハワイ限定男性向けコンテンツが配信される。これによれば、デジタルサイネージ端末に表示された広告コンテンツに関する詳細情報や付加情報を、視聴者の性別や年齢層等に即してより効果的に配信することができる。
【００８０】
なお、選択されたコンテンツを特定の携帯端末に配信するタイミングは、携帯端末を所持している視聴者の行動特性を考慮して、以下の１〜５のタイミングに行ってもよい。ただし、その他のタイミングにコンテンツを配信してもよい。
１．携帯端末に搭載された加速度センサーを活用し、視聴者が歩いている、座っている、電車に乗っている、くつろいでいる、ゴロゴロしている時間を把握し、これら時間は視聴者の隙間時間であって、視聴者がコンテンツを視聴し易い時間と予測してコンテンツを配信する。
２．携帯端末においてブラウザやアプリケーションの連続操作時間が予め定められた閾値（分）以上であるとき、視聴者がコンテンツを視聴し易い時間と予測してコンテンツを配信する。
３．視聴者が、以前、あるデジタルサイネージ端末５に表示されたコンテンツに対する検索を行い、無線基地局６がその検索にかかる携帯端末の利用情報を携帯端末から取得した際に携帯端末が存在した位置の近傍に、同一の携帯端末が存在するタイミングにコンテンツを配信する。
４．視聴者が、以前、あるデジタルサイネージ端末５に表示されたコンテンツに対する検索を行い、無線基地局６がその検索にかかる携帯端末の利用情報を携帯端末から取得した時間帯にコンテンツを配信する。
５．携帯端末の利用情報に関連するコンテンツのページを視聴者の携帯端末を使用して閲覧していることを検出したタイミングにコンテンツを配信する。
【００８１】
［変形例の構成］
次に、一実施形態の変形例にかかる広告提供管理サーバ３について、図１１〜図１５を参照しながら説明する。図１１は、変形例にかかる広告提供管理サーバ３の構成例を示した図である。
【００８２】
変形例にかかる広告提供管理サーバ３には、図３に示した上記実施形態にかかる広告提供管理サーバ３の構成に加えてフラグ管理テーブル３３４が設けられている。よって、以下では、フラグ管理テーブル３３４を用いた広告提供管理サーバ３の機能及び動作を中心に説明し、上記実施形態において説明した内容と重複した説明を省く。
【００８３】
図１２は、変形例にかかるコンテンツ関連情報データベース３３２のデータ構造例を示す。変形例にかかるコンテンツ関連情報データベース３３２は、表示コンテンツＩＤ３３２ａ及びコンテンツ関連情報３３２ｂに加えて、サービス提供エリア情報３３２ｅ、無線基地局ＩＤ（アクセスポイント）３３２ｆ及び位置情報３３２ｇを記憶する。
【００８４】
サービス提供エリア情報３３２ｅは、表示コンテンツＩＤ３３２ａにより識別されるコンテンツに関するサービスを提供するエリアを示す。位置情報３３２ｇは、サービス提供エリア情報３３２ｅにより示されるサービス提供エリアの位置を示す。無線基地局ＩＤ３３２ｆは、サービス提供エリア情報３３２ｅが指定するエリア内またはその近傍に設置された無線基地局ＩＤを示す。無線基地局ＩＤにより特定される無線基地局は、その近傍に存在する携帯端末７Ａ、７Ｂ、７Ｃ、・・を検出すると、検出結果を広告提供管理サーバ３に送信する。
【００８５】
図１３は、変形例にかかるフラグ管理テーブルのデータ構造例を示す。変形例にかかるフラグ管理テーブル３３４は、フラグ３３４ａ、識別情報３３４ｂ、表示コンテンツＩＤ３３４ｃ及びコンテンツ関連情報３３４ｄを有する。
【００８６】
フラグ３３４ａは、再捕獲対象の携帯端末に配信されたコンテンツに応じて、その携帯端末を所持する視聴者が、配信されたコンテンツに関するサービスの提供を受けたかを示すフラグである。フラグ３３４ａの初期値はヌル（ＮＵＬＬ）である。フラグ３３４ａは、再捕獲対象の携帯端末に特定のコンテンツが配信されたときに１（オン）に設定される。よって
また、フラグ３３４ａは、再捕獲対象の携帯端末を所持する視聴者が、配信されたコンテンツに関するサービスの提供を受けたときに０（オフ）に設定される。よって、フラグ３３４ａが０（オフ）に設定されているとき、該当携帯端末は再捕獲対象でないことを示す。
【００８７】
識別情報３３４ｂは、携帯端末を所持する視聴者の識別情報又は携帯端末の識別情報である。識別情報３３４ｂは、視聴者のユーザＩＤであってもよいし、視聴者が所持する携帯端末のＩＤ（例えば、ＭＡＣアドレス、Ｃｏｏｋｉｅ情報）であってもよい。
【００８８】
表示コンテンツＩＤ３３４ｃは、識別情報３３４ｂにより識別される視聴者の携帯端末に配信されるコンテンツのＩＤである。
【００８９】
コンテンツ関連情報３３４ｄは、表示コンテンツＩＤ３３４ｃにより特定されるコンテンツに関連する情報である。
【００９０】
なお、携帯端末識別部３１４は、サービス提供エリア情報３３２ｅにより示されるサービス提供エリアに存在する携帯端末を識別する。
【００９１】
一例としては、携帯端末識別部３１４は、サービス提供エリア情報３３２ｅに予め関連付けて記憶されている位置情報（例えば、図１２の位置情報３３２ｇ）とＧＰＳを用いて取得した携帯端末７Ａ、７Ｂ、７Ｃ・・・の位置情報とに基づき、携帯端末７Ａ、７Ｂ、７Ｃ・・・がいずれかのサービス提供エリアに存在するか否かを判定する。コンテンツ提供部３１３は、携帯端末７Ａ、７Ｂ、７Ｃ・・・が存在すると判定されたサービス提供エリアで提供されるコンテンツ（表示コンテンツＩＤ３３４ｃにより識別可能）に関するフラグ３３４ａを０（オフ）に設定する。
【００９２】
他の例としては、携帯端末識別部３１４は、サービス提供エリア情報３３２ｅに予め関連付けて記憶されている無線基地局６（例えば、図１２の無線基地局ＩＤ３３２ｆ）が携帯端末７Ａ、７Ｂ、７Ｃ・・・とが通信可能な状態か否かを判定する。コンテンツ提供部３１３は、無線基地局６と通信可能な状態と判定された携帯端末７Ａ、７Ｂ、７Ｃ・・・が存在すると判定されたサービス提供エリアで提供されるコンテンツ（表示コンテンツＩＤ３３４ｃにより識別可能）に関するフラグ３３４ａを０（オフ）に設定する。以下では、上記他の例に基づき、変形例に係る広告提供管理サーバ３の動作について説明する。
【００９３】
［変形例の動作］
次に、変形例に係る広告提供管理サーバ３の動作について、図１４を参照しながらフラグの設定に関する動作を説明する。その後、図１５を参照しながら広告の提供に関する広告提供管理サーバ３の動作を説明する。図１４は、変形例にかかる広告提供管理サーバの動作(フラグ設定)を示すフローチャートである。
【００９４】
（フラグの設定に関する動作）
まず、図１４のステップＳ３０にて、コンテンツ提供部３１３は、図１２のコンテンツ関連情報データベース３３２に記憶されたサービス提供エリア情報３３２ｅが指定するエリアへ携帯端末が進入したかを判定する。
【００９５】
具体的には、広告提供管理サーバ３は、無線基地局ＩＤ３３２ｆから携帯端末の識別情報を受信したとき、サービス提供エリア情報３３２ｅが指定するエリアへ携帯端末が進入したと判定する。
【００９６】
その場合、ステップＳ３２に進み、コンテンツ提供部３１３は、携帯端末が進入したと判定されたサービス提供エリア情報３３２ｅで提供されるコンテンツ（表示コンテンツＩＤ３３４ｃにより識別可能）に関するフラグ３３４ａを０（オフ）に設定し、本処理を終了する。
【００９７】
例えば、無線基地局ＩＤ３３２ｆ「ＡＰ３８４５」から識別情報３３４ｂ「ＡさんのユーザＩＤ」を受信した場合について説明する。その場合、コンテンツ提供部３１３は、Ａさんが表示コンテンツＩＤ３３２ａにより識別されるコンサートのコンテンツに関するサービスを受けるためにサービス提供エリア情報３３２ｅが示す「××ホール」に来店したと推定する。よって、コンテンツ提供部３１３は、フラグ管理テーブル３３４に記憶した識別情報３３４ｂが「ＡさんのユーザＩＤ」であって、表示コンテンツＩＤ３３４ｃが「コンサートのコンテンツのＩＤ」に対応するフラグ３３４ａを０（オフ）に設定する。
【００９８】
なお、図１４のステップＳ３０にて、サービス提供エリア情報３３２ｅが指定するエリアへ携帯端末が進入していないと判定された場合、コンテンツ提供部３１３は、フラグ３３４ａの設定を変更せずに本処理を終了する。
【００９９】
（広告の提供に関する動作）
次に、変形例にかかる広告提供管理サーバ３が行う広告の提供に関する動作について、図１５を参照しながら説明する。図１５は、変形例にかかる広告提供管理サーバ３の動作(広告提供)を示すフローチャートである。
【０１００】
図１５のステップＳ１０にて、情報取得部３１１は、識別情報、利用情報及び無線基地局ＩＤを取得する。次に、ステップＳ１２にて、コンテンツ選択部３１２は、サイネージ情報データベース３３１を検索し、取得した無線基地局ＩＤに一致する無線基地局ＩＤ（アクセスポイント）３３１ｄを選択する。そして、コンテンツ選択部３１２は、選択した無線基地局ＩＤ３３１ｄに関連付けて記憶されたサイネージ端末ＩＤ３３１ａを選択する。これにより、サイネージ端末ＩＤ３３１ａにより識別されるデジタルサイネージ端末が特定される。
【０１０１】
次に、ステップＳ１４にて、コンテンツ選択部３１２は、取得した利用情報と特定されたデジタルサイネージ端末に表示される表示コンテンツＩＤ３３２ａに関連してコンテンツ関連情報データベース３３２（図１２）に記憶されたコンテンツ関連情報３３２ｂとが一致するかを判定する。
【０１０２】
ステップＳ１４にて、取得した利用情報とコンテンツ関連情報３３２ｂとが一致しないと判定された場合、広告提供管理サーバ３は本処理を終了する。一方、ステップＳ１４にて、取得した利用情報とコンテンツ関連情報３３２ｂとが一致したと判定された場合、ステップＳ４０に進み、コンテンツ提供部３１３は、フラグ管理テーブル３３４に記憶したフラグ３３４ａが０（オフ）に設定されているかを判定する。
【０１０３】
フラグ３３４ａは、配信されたコンテンツに関するサービスが、すでに該当視聴者に提供されているときに０（オフ）に設定される。つまり、フラグ３３４ａが０（オフ）に設定されているとき、該当視聴者の携帯端末は再捕獲対象でないことを示す。よって、この場合には、コンテンツの前記携帯端末への配信を停止し、本処理をそのまま終了する。なお、コンテンツの前記携帯端末への配信を停止する替わりに、携帯端末へ配信するコンテンツを来店者向けの情報コンテンツに切り替えて配信してもよい。
【０１０４】
一方、ステップＳ４０にて、フラグ３３４ａが０（オフ）に設定されていないと判定された場合、つまり、フラグ３３４ａが１（オン）又はＮＵＬＬ（初期値）に設定されている場合、該当視聴者の携帯端末は再捕獲対象であることを示す。よって、この場合、コンテンツ提供部３１３は、ステップＳ１６及びステップＳ１８の処理を行い、コンテンツを選択し、選択されたコンテンツのＩＤと携帯端末の識別情報とをコンテンツ配信サーバ４に送信する。その後、ステップＳ４２にて、コンテンツ提供部３１３は、フラグ３３４ａを１（オン）に設定し、本処理を終了する。
【０１０５】
以上に説明したように、本変形例に係る広告システム１によれば、記憶部３３は、広告主からの要求に応じて、再捕獲された視聴者を誘導したい場所（エリア）をコンテンツ関連情報データベース３３２のサービス提供エリア情報３３２ｅに記憶する。再捕獲されたユーザを誘導したい場所としては、例えば、広告主の店舗の場所等が挙げられる。これにより、再捕獲された携帯端末の視聴者が、誘導したい場所へ実際に来店したかを判定することができる。判定結果に基づき、広告提供管理サーバ３を運営するサービス提供企業は、再捕獲された携帯端末の視聴者が、誘導したい場所へ実際に来店したことに対する課金を行うことができる。
【０１０６】
また、再捕獲された携帯端末の視聴者が、誘導したい場所へ訪問した場合、フラグ３３４ａを０（オフ）に設定することで、その携帯端末が再捕獲対象でなくなったことを判定することができる。これにより、再捕獲対象でなくなった携帯端末に対して、選択されたコンテンツの配信を止めることができる。この結果、広告主は、誘導したい場所へ実際に来店した携帯端末の視聴者に対する無駄な広告費を削減することができる。
【０１０７】
［ハードウェア構成］
最後に、一実施形態及び変形例に係る広告提供管理サーバ３のハードウェア構成例について、図１６を参照しながら説明する。図１６は、広告提供管理サーバ３のハードウェア構成例を示す図である。
【０１０８】
図１６において、広告提供管理サーバ３は、システムバス３０１に接続されたＣＰＵ（Central Processing Unit）３０２、ＲＯＭ（Read Only Memory）３０３、ＲＡＭ（Random Access Memory）３０４、ＮＶＲＡＭ（Non-Volatile Random Access Memory）３０５、Ｉ／Ｆ（Interface）３０６と、Ｉ／Ｆ３０６に接続された、キーボード、マウス、モニタ、ＣＤ／ＤＶＤ（Compact Disk/Digital Versatile Disk）ドライブ等のＩ／Ｏ（Input/Output Device）３０７、ＨＤＤ（Hard Disk Drive）３０８、ＮＩＣ（Network Interface Card）３０９等を備えている。Ｍはプログラムもしくはデータが格納されたＣＤ／ＤＶＤ等のメディア（記録媒体）である。
【０１０９】
制御部３１の情報取得部３１１、コンテンツ選択部３１２、コンテンツ提供部３１３は、ＨＤＤ３０８にインストールされたプログラムがＣＰＵ３０２に実行させる処理により実現され得る。サイネージ情報データベース３３１、コンテンツ関連情報データベース３３２、コンテンツ管理テーブル３３３及びフラグ管理テーブル３３４は、例えば、ＲＡＭ３０４、ＨＤＤ３０８、ネットワーク８を介して接続される図示しない記憶装置を用いて実現可能である。
【０１１０】
コンテンツ配信サーバ４についても、図１６に示したハードウェア構成を有することができる。また、デジタルサイネージ端末５は、図１６に示したハードウェア構成の他、大型のビデオディスプレイを有することができる。
【０１１１】
以上、広告提供管理装置、広告提供管理方法及びプログラムを一実施形態及びその変形例により説明したが、本発明は上記実施形態及びその変形例に限定されるものではなく、本発明の範囲内で種々の変形及び改良が可能である。
【０１１２】
例えば上記実施形態及びその変形例では、コンテンツを表示する媒体として、任意の地点に設置されたデジタルサイネージ端末を例に挙げて説明した。このデジタルサイネージ端末は、野外や所定の建物内に設置される場合に限られず、例えば、電車内に設置されたディスプレイであってもよい。また、デジタルサイネージ端末には、ＮＦＣを取り付けたポスターも含まれる。この場合、携帯端末がＮＦＣとの間で近距離通信することで、本発明の動作を実行させることができる。
【符号の説明】
【０１１３】
１：広告システム
３：広告提供管理サーバ
４：コンテンツ配信サーバ
５：デジタルサイネージ端末
６：無線基地局
７Ａ、７Ｂ、７Ｃ：携帯端末
８：ネットワーク
３１：制御部
３２：ネットワークインタフェース部
３３：記憶部
３１１：情報取得部
３１２：コンテンツ選択部
３１３：コンテンツ提供部
３１４：携帯端末識別部
３３１：サイネージ情報データベース
３３２：コンテンツ関連情報データベース
３３３：コンテンツ管理テーブル
３３４：フラグ管理テーブル
【図１】
0006037950.tif 000002
【図２】
0006037950.tif 000003
【図３】
0006037950.tif 000004
【図４】
0006037950.tif 000005
【図５】
0006037950.tif 000006
【図６】
0006037950.tif 000007
【図７】
0006037950.tif 000008
【図８】
0006037950.tif 000009
【図９】
0006037950.tif 000010
【図１０】
0006037950.tif 000011
【図１１】
0006037950.tif 000012
【図１２】
0006037950.tif 000013
【図１３】
0006037950.tif 000014
【図１４】
0006037950.tif 000015
【図１５】
0006037950.tif 000016
【図１６】
0006037950.tif 000017